(57)【特許請求の範囲】
【請求項１】
電話回線接続されたＧ３ファクシミリ装置との間で画情報をやり取りする機能と、インターネットを介して他のリアルタイムゲートウェイファクシミリ装置との間で画情報をやり取りする機能とを備えたリアルタイムゲートウェイファクシミリ装置において、
送信側Ｇ３ファクシミリ装置からの他のリアルタイムゲートウェイファクシミリ装置宛ての画情報をファクシミリ受信し、当該画情報を当該他のリアルタイムゲートウェイファクシミリ装置にリアルタイムでインターネット送信し、または、送信側Ｇ３ファクシミリ装置からの受信側Ｇ３ファクシミリ装置宛ての画情報をファクシミリ受信し、当該画情報を前記受信側Ｇ３ファクシミリ装置と電話回線接続された他のリアルタイムゲートウェイファクシミリ装置にリアルタイムでインターネット送信する送受信手段と、
前記送信側Ｇ３ファクシミリ装置から、宛先である前記他のリアルタイムゲートウェイファクシミリ装置との短縮手順情報または宛先である前記受信側Ｇ３ファクシミリ装置との短縮手順情報を取得する短縮手順情報取得手段と、
前記他のリアルタイムゲートウェイファクシミリ装置に、前記短縮手順を備えている旨を表す情報を含むユーザ・ユーザ情報（ＵＵＩ）を送出するＵＵＩ送出手段と、
前記ユーザ・ユーザ情報（ＵＵＩ）を送出したときは、被呼局識別信号が応答される前にフェーズＢを開始し、前記短縮手順を実行する制御手段と、を有することを特徴とするリアルタイムゲートウェイファクシミリ装置。
【請求項２】
さらに、特定のトーンを検出する手段を有し、当該手段が前記送信側Ｇ３ファクシミリ装置から短縮手順を要求するトーンを検出したときに、前記他のリアルタイムゲートウェイファクシミリ装置にユーザ・ユーザ情報（ＵＵＩ）を送出してフェーズＢを開始することを特徴とする請求項１に記載のリアルタイムゲートウェイファクシミリ装置。
【請求項３】
前記制御手段は、前記送信側Ｇ３ファクシミリ装置と呼接続したときに取得した短縮手順要求を含む所定情報に基づきフェーズＢを開始することを特徴とする請求項１に記載のリアルタイムゲートウェイファクシミリ装置。
【請求項４】
電話回線接続されたＧ３ファクシミリ装置との間で画情報をやり取りする機能と、インターネットを介して他のリアルタイムゲートウェイファクシミリ装置との間で画情報をやり取りする機能とを備えたリアルタイムゲートウェイファクシミリ装置において、
他のリアルタイムゲートウェイファクシミリ装置から受信側Ｇ３ファクシミリ装置宛ての画情報をインターネット受信し、当該画情報を当該受信側Ｇ３ファクシミリ装置にリアルタイムでファクシミリ送信し、または、送信側Ｇ３ファクシミリ装置と電話回線接続された他のリアルタイムゲートウェイファクシミリ装置から受信側Ｇ３ファクシミリ装置宛ての画情報をインターネット受信し、当該画情報を前記受信側Ｇ３ファクシミリ装置にリアルタイムでファクシミリ送信する送受信手段と、
前記他のリアルタイムゲートウェイファクシミリ装置から、宛先である自己との短縮手順情報または宛先である前記受信側Ｇ３ファクシミリ装置との短縮手順情報を取得する短縮手順情報取得手段と、
前記他の送信側リアルタイムゲートウェイファクシミリ装置から、前記短縮手順情報を含むユーザ・ユーザ情報（ＵＵＩ）を取得するＵＵＩ取得手段と、
前記ユーザ・ユーザ情報（ＵＵＩ）を取得したときは、ただちにフェーズＢを開始し、前記短縮手順を実行する制御手段と、を有することを特徴とするリアルタイムゲートウェイファクシミリ装置。
【請求項５】
さらに、特定のトーンを送出する手段を有し、前記他のリアルタイムゲートウェイファクシミリ装置から受信側Ｇ３ファクシミリ装置との短縮手順情報を含むユーザ・ユーザ情報（ＵＵＩ）を取得したときは、前記受信側Ｇ３ファクシミリ装置に短縮手順を要求するトーンを送出してフェーズＢを開始する、ことを特徴とする請求項４に記載のリアルタイムゲートウェイファクシミリ装置。
【請求項６】
前記制御手段は、前記受信側Ｇ３ファクシミリ装置と呼接続したときに送出する短縮手順要求を含む所定情報を前記受信側Ｇ３ファクシミリ装置に送信した後、フェーズＢを開始することを特徴とする請求項４に記載のリアルタイムゲートウェイファクシミリ装置。
【発明の詳細な説明】
【０００１】
【発明の属する技術分野】
本発明は、Ｇ３ファクシミリ装置との間で画情報をやり取りする機能（ＩＴＵ−Ｔ勧告Ｔ．３０手順を実行して画情報をやり取りする機能）と、インターネットを介して他のリアルタイムゲートウェイファクシミリ装置との間で画情報をやり取りする機能（ＩＴＵ−Ｔ勧告Ｔ．３８手順を実行して情報をやり取りする機能）を備えたリアルタイムゲートウェイファクシミリ装置に関する。
【０００２】
【従来の技術】
近年、インターネット上での電子メールを用いて、画情報を通信するインターネットファクシミリ装置が実用化されるようになっている。さらに、２つのンターネットファクシミリ装置をそれぞれゲートウェイとするＧ３ファクシミリ装置相互間で画情報を送受信する通信方法も普及しつつある。この通信方法では、まず送信側Ｇ３ファクシミリ装置が、第１のインターネットファクシミリ装置に画情報をファクシミリ送信する。第１のインターネットファクシミリ装置は受信した画情報を電子メールに添付して、第２のインターネットファクシミリ装置に転送する。そして、第２のファクシミリ装置は、受信した電子メールに添付された画情報を受信側Ｇ３ファクシミリ装置に送信する。
【０００３】
しかし、送信側Ｇ３ファクシミリ装置が受信側Ｇ３ファクシミリ装置に画情報を送信する場合、送信側Ｇ３ファクシミリ装置と受信側Ｇ３ファクシミリ装置とが直接通信するわけではない。このため、Ｇ３ファクシミリ装置相互間における通信能力の確認がリアルタイムに行われない等の問題がある。
【０００４】
このような不都合を解消するために、リアルタイム型のインターネットファクシミリ通信技術が提案されている（特開２０００−１１５５０３公報参照）。この通信技術では、インターネットファクシミリ装置をゲートウェイとするファクシミリ装置（「リアルタイムインターネットゲートウェイファックシミリ装置」とも称される。以下、単に「ゲートウェイファクシミリ装置」と言う）が用いられる。
【０００５】
リアルタイム型のインターネットファクシミリ通信では、送信側Ｇ３ファクシミリ装置は、まず、第１のゲートウェイファクシミリ装置に発呼して、宛先電話番号を通知する。第１のゲートウェイファクシミリ装置では、第２のゲートウェイファクシミリ装置に対し、送信側Ｇ３ファクシミリ装置から通知された受信側Ｇ３ファクシミリ装置の電話番号（宛先電話番号）を通知して接続要求を行う。
【０００６】
第２のゲートウェイファクシミリ装置は、通知された宛先電話番号（受信側Ｇ３ファクシミリ装置の電話番号）へ発呼し、回線が確立すると、受信側Ｇ３ファクシミリ装置との間で所定のＧ３ファクシミリ伝送手順を開始するとともに、所定のリアルタイム伝送手順を開始する。
【０００７】
これにより、第１のゲートウェイファクシミリ装置は、送信側Ｇ３ファクシミリ装置との間でＧ３ファクシミリ伝送手順を開始するとともに、第２のゲートウェイファクシミリ装置との間で所定のリアルタイム伝送手順を実行する。また、第２のゲートウェイファクシミリ装置は、受信側Ｇ３ファクシミリ装置との間で送受信手順を実行する。
この結果、送信側Ｇ３ファクシミリ装置は、第１のゲートウェイファクシミリ装置および第２のゲートウェイファクシミリ装置を介して、受信側Ｇ３ファクシミリ装置との間でリアルタイムなファクシミリ通信を行うことができる。
【０００８】
リアルタイム型インターネットファクシミリ通信では、ファクシミリ装置相互間における通信能力の確認をリアルタイムに行うことができる。送信側Ｇ３ファクシミリ装置は、受信側Ｇ３ファクシミリ装置の通信能力に応じた画情報を送信できるとともに、通信結果をリアルタイムに得ることができるので、再送動作などを迅速に行うことができる。
【０００９】
一方、Ｇ３ファクシミリ装置間で短縮手順を実行する場合の技術として、以下制御方法が知られている（特許２９６２５１３号公報参照）。この制御方法では、予め、送信側Ｇ３ファクシミリ装置は、各々の宛先について伝送機能を記憶しておく。そして、送信時、指定された宛先について上記伝送機能記憶手段に記憶された伝送機能に短縮手順が含まれているときには、受信側Ｇ３ファクシミリ装置から被呼局識別信号が応答される前に、特定のトーン信号を受信側Ｇ３ファクシミリ装置に送出し、この直後にフェーズＢを開始する。これにより、短縮手順を確実に実行することができる。
【００１０】
ところが、この通信手法を、リアルタイムインターネットゲートウェイファクシミリ通信システムに適用しようとしても、送信側リアルタイムゲートウェイファクシミリ装置と、受信側送信側リアルタイムゲートウェイファクシミリ装置との間に、トーン信号を運ぶ手段がないため、短縮手順を実行することができない。
【００１１】
本発明は、Ｇ３ファクシミリ装置が送信元および／または宛先である場合にも、短縮手順を実行することにより通信時間を短縮できるリアルタイムゲートウェイファクシミリ装置を提供することを目的とする。
【００１２】
【課題を解決するための手段】
本発明のリアルタイムゲートウェイファクシミリ装置は、電話回線接続されたＧ３ファクシミリ装置との間で画情報をやり取りする機能と、インターネットを介して他のゲートウェイファクシミリ装置との間で画情報をやり取りする機能とを備えている。
【００１３】
本発明のゲートウェイファクシミリ装置は、送信側Ｇ３ファクシミリ装置からの受信側ゲートウェイファクシミリ装置宛ての画情報をファクシミリ受信し、当該画情報を当該受信側ゲートウェイファクシミリ装置にリアルタイムでインターネット送信し、または、送信側Ｇ３ファクシミリ装置からの受信側Ｇ３ファクシミリ装置宛ての画情報をファクシミリ受信し、当該画情報を前記受信側Ｇ３ファクシミリ装置と電話回線接続された受信側ゲートウェイファクシミリ装置にリアルタイムでインターネット送信する送受信手段と、前記送信側Ｇ３ファクシミリ装置から、宛先である前記受信側ゲートウェイファクシミリ装置との短縮手順情報または宛先である前記受信側Ｇ３ファクシミリ装置との短縮手順情報を取得する短縮手順情報取得手段と、受信側ゲートウェイファクシミリ装置に、前記短縮手順情報を含むユーザ・ユーザ情報（ＵＵＩ）を送出するＵＵＩ送出手段と、前記ユーザ・ユーザ情報（ＵＵＩ）を送出したときは、被呼局識別信号が応答される前にフェーズＢを開始し、前記短縮手順を実行する制御手段と、を有することを特徴とする。この態様でのリアルタイムゲートウェイファクシミリ装置は「送信側ゲートウェイファクシミリ装置」である。
【００１４】
この場合、送信側ゲートウェイファクシミリ装置は、特定のトーンを検出する手段を有し、当該手段が前記送信側Ｇ３ファクシミリ装置から短縮手順を要求するトーンを検出したときに、前記受信側ゲートウェイファクシミリ装置にユーザ・ユーザ情報（ＵＵＩ）を送出してフェーズＢを開始することができる。
また、前記制御手段は、前記送信側Ｇ３ファクシミリ装置と呼接続したときに取得した短縮手順要求を含む所定情報（当該送信側Ｇ３ファクシミリ装置のユーザ情報）基づきフェーズＢを開始することができる。
【００１５】
また、本発明のゲートウェイファクシミリ装置は、送信側ゲートウェイファクシミリ装置から受信側Ｇ３ファクシミリ装置宛ての画情報をインターネット受信し、当該画情報を当該受信側Ｇ３ファクシミリ装置にリアルタイムでファクシミリ送信し、または、受信側Ｇ３ファクシミリ装置と電話回線接続された送信側ゲートウェイファクシミリ装置から受信側Ｇ３ファクシミリ装置宛ての画情報をインターネット受信し、当該画情報を前記受信側Ｇ３ファクシミリ装置にリアルタイムでファクシミリ送信する送受信手段と、前記送信側ゲートウェイファクシミリ装置から、宛先で自己との短縮手順情報または宛先である前記受信側Ｇ３ファクシミリ装置との短縮手順情報を取得する短縮手順情報取得手段と、送信側リアルタイムゲートウェイファクシミリ装置から、前記短縮手順情報を含むユーザ・ユーザ情報（ＵＵＩ）を取得するＵＵＩ取得手段と、前記ユーザ・ユーザ情報（ＵＵＩ）を取得したときは、ただちにフェーズＢを開始し、前記短縮手順を実行する制御手段と、を有することを特徴とする。この態様でのゲートウェイファクシミリ装置は「受信側ゲートウェイファクシミリ装置」である。
【００１６】
この場合、受信側ゲートウェイファクシミリ装置は、特定のトーンを送出する手段を有し、前記送信側ゲートウェイファクシミリ装置から受信側Ｇ３ファクシミリ装置との短縮手順情報を含むユーザ・ユーザ情報（ＵＵＩ）を取得したときは、前記受信側Ｇ３ファクシミリ装置に短縮手順を要求するトーンを送出してフェーズＢを開始することができる。
また前記制御手段は、前記受信側Ｇ３ファクシミリ装置と呼接続したときに送出する短縮要求を含む所定情報（ユーザ情報）を前記受信側Ｇ３ファクシミリ装置に送信した後、フェーズＢを開始することができる。
【００１７】
本発明では、Ｇ３ファクシミリ装置が送信元である場合にも、送信側ゲートウェイファクシミリ装置はＧ３ファクシミリ装置からトーン信号により短縮手続に関する情報を取得できるし、Ｇ３ファクシミリ装置が宛て先である場合にも、受信側ゲートウェイファクシミリ装置はＧ３ファクシミリ装置にトーン信号により短縮手順に関する情報を送出できる。通常、短縮手順情報は、画情報の発信元の装置（Ｇ３ファクシミリ装置またはゲートウェイファクシミリ装置）が保有していればよい。本発明ではリアルタイム通信における短縮手順に関する情報は、発信元と宛先との間にインターネットが介在していると否とによらず、当該発信元から宛先に送信されるので、勧告Ｔ．３０短縮手順や勧告Ｔ．３８短縮手順を効率良く実行でき、したがって通信時間が大幅に短縮される。
【００１８】
【発明の実施の形態】
以下、本発明の実施形態を図１〜図８により説明する。図１は、本発明の一実施形態にかかるゲートウェイファクシミリ装置が組み込まれた通信システムの一例を示している。図１に示した通信システムは、送信側Ｇ３ファクシミリ装置Ｆ１，受信側Ｇ３ファクシミリ装置Ｆ２、および送信側ゲートウェイファクシミリ装置ＧＷ１，受信側ゲートウェイファクシミリ装置ＧＷ２からなる。送信側Ｇ３ファクシミリ装置Ｆ１は公衆網１００を介して送信側ゲートウェイファクシミリ装置ＧＷ１に、受信側Ｇ３ファクシミリ装置Ｆ２は公衆網１００（公衆回線（ＰＳＴＮ）または私設電話網）を介して受信側送信側ゲートウェイファクシミリ装置ＧＷ１に接続され、送信側ゲートウェイファクシミリ装置ＧＷ１と受信側ゲートウェイファクシミリ装置ＧＷ２とはインターネット２００を介して相互に接続されている。送信側Ｇ３ファクシミリ装置Ｆ１と受信側Ｇ３ファクシミリ装置Ｆ２とは、送信側ゲートウェイファクシミリ装置ＧＷ１および受信側ゲートウェイファクシミリ装置ＧＷ２を介して相互に画情報の送受信を行うことができる。
【００１９】
図２は、送信側ゲートウェイファクシミリ装置ＧＷ１，受信側ゲートウェイファクシミリ装置ＧＷ２（図２ではこれらを「ＧＷ」で記述する）の構成例を示している。図２において、システム制御部１１は、ゲートウェイファクシミリ装置ＧＷの各部の制御処理、ファクシミリ伝送制御手順（勧告Ｔ．３０手順）処理、および、リアルタイム伝送制御手順（勧告Ｔ．３８手順）処理などの各種制御処理を行う。システムメモリ（フラッシュメモリ又はフラッシュＲＯＭ等）１２は、システム制御部１１が実行する制御処理プログラム、およびこの制御処理プログラムを実行するときに必要な各種データなどを記憶するとともに、システム制御部１１のワークエリアを構成する。さらに、本実施形態では、システムメモリ１２は、本発明における伝送機能記憶手段としての機能を有しており、複数の宛先についての伝送機能についての情報（短縮手順が含まれるか否かの情報を含む）等が記憶されている。
【００２０】
パラメータメモリ１３は、このゲートウェイファクシミリ装置ＧＷに固有な各種の情報を記憶する。時計回路１４は、現在時刻情報を出力する。スキャナ１５は、所定の解像度で原稿画像を読み取る。プロッタ１６は、所定の解像度で画像を記録出力する。操作表示部１７は、ユーザインタフェースであり、ファクシミリ装置を操作するための各種の操作キー、および、各種の表示器からなる。符号化復号化部１８は、画データを符号化圧縮するとともに、符号化圧縮されている画情報を元の画データに復号化する。また、画像蓄積装置１９は、符号化圧縮された状態の画情報を蓄積する。
【００２１】
網制御装置２０は、このゲートウェイファクシミリ装置を公衆網１００に接続するものであり、自動発着信機能を備えている。Ｇ３ファクシミリモデム２１は、Ｇ３ファクシミリ装置ＧＷのモデム機能を実現することができ、伝送手順信号をやり取りするための低速モデム機能（Ｖ．２１モデム）、および、主として画情報をやり取りするための高速モデム機能（Ｖ．１７モデム、Ｖ．３４モデム、Ｖ．２９モデム、Ｖ．２７ｔｅｒモデム等）を備えている。本実施形態では、送信側ゲートウェイファクシミリ装置ＧＷ１の網制御装置２０は、送信側Ｇ３ファクシミリ装置Ｆ１が発生する、短縮手順を要求するトーンを検出することができる。また、受信側ゲートウェイファクシミリ装置ＧＷ２の網制御装置２０は、受信側Ｇ３ファクシミリ装置Ｆ２に、短縮手順を要求するトーンを送出することができる。
【００２２】
インターネット通信制御部２２は、ゲートウェイファクシミリ装置ＧＷをインターネット２００に接続し、種々のデータをやり取りする。ＴＣＰ／ＩＰパケット解析部２３は、インターネット通信制御部２２が受信したＴＣＰ／ＩＰパケットを解析して受信情報を取り出す。送信側ゲートウェイファクシミリ装置ＧＷ１のインターネット通信制御部２２は、本発明におけるＵＵＩ送出手段として機能することができ、また、受信側ゲートウェイファクシミリ装置ＧＷ２のインターネット通信制御部２２は、本発明におけるＵＵＩ取得手段として機能することができる。
【００２３】
Ｇ３プロトコル情報生成部２４は、リアルタイム伝送手順において、ＴＣＰ／ＩＰパケット解析部１３から出力される情報を、対応するＧ３伝送手順信号情報に変換する。Ｇ３プロトコル情報取出部２５は、リアルタイム伝送手順において、送信するＧ３ファクシミリ伝送手順情報を取り出す。ＴＣＰ／ＩＰパケット変換部２６は、Ｇ３プロトコル情報取出部２５から出力されるＧ３ファクシミリ伝送手順情報をＴＣＰ／ＩＰパケットデータに変換し、その出力データをインターネット通信制御部２２に送る。
【００２４】
システム制御部１１、システムメモリ１２、パラメータメモリ１３、時計回路１４、スキャナ１５、プロッタ１６、操作表示部１７、符号化復号化部１８、画像蓄積装置１９、網制御装置２０、Ｇ３ファクシミリモデム２１、Ｇ３プロトコル情報生成部２４、およびＧ３プロトコル情報取出部２５は、内部バス２７に接続されており、これらの各要素間でのデータのやり取りは、主として内部バス２７を介して行われる。また、網制御装置２０とＧ３ファクシミリモデム２１との間のデータのやり取りは、直接行われる。
【００２５】
本実施形態においては、図３（Ａ），（Ｂ），（Ｃ）に示すように３つの通信形態がある。図３（Ａ）は、送信側Ｇ３ファクシミリ装置Ｆ１が、送信側ゲートウェイファクシミリ装置ＧＷ１，受信側ゲートウェイファクシミリ装置ＧＷ２を介して宛先である受信側ファクシミリ装置Ｆ２にリアルタイムで接続されている場合を示している。また、図３（Ｂ）は、送信側ゲートウェイファクシミリ装置ＧＷ１が、受信側ゲートウェイファクシミリ装置ＧＷ２を介して宛先である受信側ゲートウェイファクシミリ装置ＧＷ２にリアルタイムで接続されている場合を示している。さらに、図３（Ｃ）は、送信側ゲートウェイファクシミリ装置ＧＷ１が、受信側ゲートウェイファクシミリ装置ＧＷ２を介して宛先である受信側ファクシミリ装置Ｆ２にリアルタイムで接続されている場合を示している。
【００２６】
図３（Ａ）の態様において、通常の（すなわち、短縮手順が実行されない場合の）リアルタイム転送手順の一例を図４に示す。短縮手順が実行される場合については、図６〜図８のフローチャートの説明において説明する。
【００２７】
まず、送信側Ｇ３ファクシミリ装置Ｆ１は、送信側ゲートウェイファクシミリ装置ＧＷ１へ発呼する（勧告Ｔ．３０手順のトーン信号ＣＮＧを送出する）。これにより、送信側ゲートウェイファクシミリ装置ＧＷ１は、受信側ゲートウェイファクシミリ装置ＧＷ２に対し接続要求パケットを送信して、接続要求するとともに、宛先電話番号を通知する。これにより、受信側ゲートウェイファクシミリ装置ＧＷ２は、指定された受信側Ｇ３ファクシミリ装置Ｆ２に発呼し、所定のトーン信号ＣＮＧを送出して呼接続を要求する一方、接続確認パケットを送信側ゲートウェイファクシミリ装置ＧＷ１に送信して、呼接続を確認する。
【００２８】
受信側Ｇ３ファクシミリ装置Ｆ２は、受信側ゲートウェイファクシミリ装置ＧＷ２から発呼されると、着信応答して、所定の被呼局識別信号（トーン信号ＣＥＤ）を送出する。受信側ゲートウェイファクシミリ装置ＧＷ２は、このトーン信号ＣＥＤを検出すると、信号ＣＥＤを検出した旨を表す信号（Ｔ３０ＩＮＤ：ＣＥＤ）を送信側ゲートウェイファクシミリ装置ＧＷ１に送信する。そして、送信側ゲートウェイファクシミリ装置ＧＷ１は、トーン信号ＣＥＤを送信側Ｇ３ファクシミリ装置Ｆ１へ送出する。
【００２９】
次いで、受信側Ｇ３ファクシミリ装置Ｆ２は、フラグ信号（Ｆｌａｇｓ）に続き、自端末のオプション的な伝送機能を通知するための信号ＮＳＦ、自端末の識別信号を通知するための信号ＣＳＩ、および、自端末の標準的な伝送機能を通知するための信号ＤＩＳを順次送出する。受信側ゲートウェイファクシミリ装置ＧＷ２は、フラグ信号を検出すると、信号（Ｔ３０ＩＮＤ：Ｆｌａｇｓ）を送信側ゲートウェイファクシミリ装置ＧＷ１に送信するとともに、信号ＮＳＦ，ＣＳＩ，ＤＩＳを順次検出すると、信号ＮＳＦ，ＣＳＩ，ＤＩＳを表す信号（Ｖ２１ＨＤＬＣ：ＮＳＦ／ＣＳＩ／ＤＩＳ）を、送信側ゲートウェイファクシミリ装置ＧＷ１に順次送信する。
【００３０】
これにより、送信側ゲートウェイファクシミリ装置ＧＷ１は、フラグ信号を受信した時点で送信側Ｇ３ファクシミリ装置Ｆ１へフラグ信号の送出を開始し、信号（Ｖ２１ＨＤＬＣ：ＮＳＦ／ＣＳＩ／ＤＩＳ）を受信すると、それぞれ対応する信号ＮＳＦ，ＣＳＩ，ＤＩＳを送信側Ｇ３ファクシミリ装置Ｆ１に送信する。
【００３１】
送信側Ｇ３ファクシミリ装置Ｆ１は、受信側Ｇ３ファクシミリ装置Ｆ２の識別信号および伝送機能を知るので、その通知された伝送機能に基づき、そのときに使用する伝送機能およびモデム速度などを設定する。送信側Ｇ３ファクシミリ装置Ｆ１は、フラグ信号に続き、自端末の識別信号を通知するための信号ＴＳＩ、および、使用する伝送機能を通知するための信号ＤＣＳを順次送出し、さらに、通知したモデム速度でモデムトレーニングを行うための信号ＴＣＦを送出する。
【００３２】
送信側ゲートウェイファクシミリ装置ＧＷ１は、フラグ信号を検出すると、信号（Ｔ３０ＩＮＤ：Ｆｌａｇｓ）を受信側ゲートウェイファクシミリ装置ＧＷ２に送信するとともに、信号ＴＳＩ，ＤＣＳ，ＴＣＦを順次検出し、これらの信号ＴＳＩ，ＤＣＳを表す信号（Ｖ２１ＨＤＬＣ：ＴＳＩ／ＤＣＳ）を受信側ゲートウェイファクシミリ装置ＧＷ２に送信する。
【００３３】
これにより、受信側ゲートウェイファクシミリ装置ＧＷ２は、フラグ信号を受信した時点で受信側Ｇ３ファクシミリ装置Ｆ２へのフラグ信号の送出を開始し、信号（Ｖ２１ＨＤＬＣ：ＴＳＩ／ＤＣＳ）を受信すると、それぞれ対応する信号ＴＳＩ，ＤＣＳ、および、信号ＴＣＦを受信側Ｇ３ファクシミリ装置Ｆ２に送信する。
【００３４】
受信側Ｇ３ファクシミリ装置Ｆ２は、信号ＴＳＩを受信すると、相手端末（送信側Ｇ３ファクシミリ装置Ｆ１）の識別情報を取得し、信号ＤＣＳを受信すると使用する伝送機能を取得し、それによって、モデム速度を設定し、信号ＴＣＦを受信する。
【００３５】
受信側Ｇ３ファクシミリ装置Ｆ２は、信号ＴＣＦの受信結果が良好な場合には、フラグ信号に続き、Ｇ３ファクシミリ装置伝送手順信号であり、受信準備が完了した旨を通知するための信号ＣＦＲを送出する。受信側ゲートウェイファクシミリ装置ＧＷ２は、フラグ信号を検出すると、信号（Ｔ３０ＩＮＤ：Ｆｌａｇｓ）を送信側ゲートウェイファクシミリ装置ＧＷ１に送信するとともに、信号ＣＦＲを検出すると、信号ＣＦＲを表す信号（Ｖ２１ＨＤＬＣ：ＣＦＲ）を送信側ゲートウェイファクシミリ装置ＧＷ１に送信する。
【００３６】
送信側ゲートウェイファクシミリ装置ＧＷ１は、フラグ信号を受信した時点で送信側Ｇ３ファクシミリ装置Ｆ１へフラグ信号の送出を開始し、信号（Ｖ２１ＨＤＬＣ：ＣＦＲ）を受信すると、対応する信号ＣＦＲを送信側Ｇ３ファクシミリ装置Ｆ１に送信する。
【００３７】
このようにして、画情報の送信準備が整うと、送信側Ｇ３ファクシミリ装置Ｆ１は、モデムのリトレーニングのためのトレーニング（Ｔｒａｉｎｉｎｇ）信号を送出した後に、画情報を送出し、画情報の送出を終了すると、フラグ信号に続いて、画情報送信が終了した旨を通知する信号ＥＯＰを送出する。
【００３８】
また、送信側ゲートウェイファクシミリ装置ＧＷ１は、送信側Ｇ３ファクシミリ装置Ｆ１よりトレーニング信号を検出すると、信号（Ｔ３０ＩＮＤ：Ｓｐｅｅｄ）を受信側ゲートウェイファクシミリ装置ＧＷ２に送信し、続いて、送信側Ｇ３ファクシミリ装置Ｆ１から受信した画情報を複数に分割し、それぞれの分割された画情報をパケットデータとして、受信側ゲートウェイファクシミリ装置ＧＷ２に送信する。そして、送信側Ｇ３ファクシミリ装置Ｆ１よりフラグ信号を検出すると、信号（Ｔ３０ＩＮＤ：Ｆｌａｇｓ）を受信側ゲートウェイファクシミリ装置ＧＷ２に送信するとともに、信号ＥＯＰを検出すると、信号ＥＯＰを表す信号（Ｖ２１ＨＤＬＣ：ＥＯＰ）を受信側ゲートウェイファクシミリ装置ＧＷ２に送信する。
【００３９】
一方、受信側ゲートウェイファクシミリ装置ＧＷ２は、信号（Ｔ３０ＩＮＤ：Ｓｐｅｅｄ）を受信すると、対応するトレーニング信号を受信側Ｇ３ファクシミリ装置Ｆ２に送信し、画情報を運ぶパケットを受信すると、それに含まれている分割画情報を順次取り出し、連結した画情報を作成し、その画情報を、受信側Ｇ３ファクシミリ装置Ｆ２に送信する。また、画報の送信を終了した後に、受信側Ｇ３ファクシミリ装置Ｆ２へのフラグ信号の送出を開始し、このときには、信号（Ｖ２１ＨＤＬＣ：ＥＯＰ）を受信するので、対応する信号ＥＯＰを受信側Ｇ３ファクシミリ装置Ｆ２へと送信する。
【００４０】
また、受信側Ｇ３ファクシミリ装置Ｆ２は、受信側ゲートウェイファクシミリ装置ＧＷ２より受信したトレーニング信号でモデムのリトレーニングを行った後、画情報を受信し、次いで、フラグ信号に続いて信号ＥＯＰを受信すると、画情報の受信が終了したことを認識する。そして、受信側Ｇ３ファクシミリ装置Ｆ２は、そのときの画情報の受信結果が良好な場合には、フラグ信号に続いて、その旨を通知する信号ＭＣＦを受信側ゲートウェイファクシミリ装置ＧＷ２に送信する。
【００４１】
受信側ゲートウェイファクシミリ装置ＧＷ２は、フラグ信号を検出すると、信号（Ｔ３０ＩＮＤ：Ｆｌａｇｓ）を送信側ゲートウェイファクシミリ装置ＧＷ１に送信するとともに、信号ＭＣＦを検出すると、信号ＭＣＦを表す信号（Ｖ２１ＨＤＬＣ：ＭＣＦ）を送信側ゲートウェイファクシミリ装置ＧＷ１に送信する。
【００４２】
送信側ゲートウェイファクシミリ装置ＧＷ１は、フラグ信号を受信した時点で送信側Ｇ３ファクシミリ装置Ｆ１へフラグ信号の送出を開始し、信号（Ｖ２１ＨＤＬＣ：ＭＣＦ）を受信すると、対応する信号ＭＣＦを送信側Ｇ３ファクシミリ装置Ｆ１へと送信する。
【００４３】
送信側Ｇ３ファクシミリ装置Ｆ１は、受信側Ｇ３ファクシミリ装置Ｆ２で画情報を正常に受信されたことを認識する。この後は、送信側Ｇ３ファクシミリ装置Ｆ１は、フラグ信号に続き、回線復旧を指令するための信号ＤＣＮを送信側ゲートウェイファクシミリ装置ＧＷ１へ送出した後に、回線を復旧する。
【００４４】
上述と同様の手順により、信号（Ｔ３０ＩＮＤ：Ｆｌａｇｓ）、信号（Ｖ２１ＨＤＬＣ：ＤＣＮ）が送信側ゲートウェイファクシミリ装置ＧＷ１から受信側ゲートウェイファクシミリ装置ＧＷ２へと送信される。そして、送信側ゲートウェイファクシミリ装置ＧＷ１からは、フラグ信号および信号ＤＣＮが受信側Ｇ３ファクシミリ装置Ｆ２へと順次送信され、受信側Ｇ３ファクシミリ装置Ｆ２は、信号ＤＣＮを受信すると、回線を復旧する。
【００４５】
また、送信側ゲートウェイファクシミリ装置ＧＷ１は、通信パスを切断する旨を要求する切断要求パケットを受信側ゲートウェイファクシミリ装置ＧＷ２へ送出し、受信側ゲートウェイファクシミリ装置ＧＷ２は、切断要求パケットを受信すると、通信パスの切断を確認した旨を表す切断確認パケットを送信側ゲートウェイファクシミリ装置ＧＷ１へ送出して、一連の通信動作を終了する。
【００４６】
これにより、送信側Ｇ３ファクシミリ装置Ｆ１と送信側ゲートウェイファクシミリ装置ＧＷ１との間の回線、および、受信側Ｇ３ファクシミリ装置Ｆ２と受信側ゲートウェイファクシミリ装置ＧＷ２との間の回線が復旧され、送信側Ｇ３ファクシミリ装置Ｆ１と受信側Ｇ３ファクシミリ装置Ｆ２の間に形成されていたリアルタイム通信パスが切断される。
【００４７】
このようにして、送信側Ｇ３ファクシミリ装置Ｆ１と受信側Ｇ３ファクシミリ装置Ｆ２との間のファクシミリ伝送手順が、送信側ゲートウェイファクシミリ装置ＧＷ１および受信側ゲートウェイファクシミリ装置ＧＷ２のリアルタイム伝送手順により、リアルタイムに実行されて、送信側Ｇ３ファクシミリ装置Ｆ１から受信側Ｇ３ファクシミリ装置Ｆ２への画情報の送信がなされる。
【００４８】
図４における信号（Ｔ３０ＩＮＤ：「信号名」）は、ＩＴＵ−Ｔ勧告Ｔ．３０に従ったトーナル信号の検出を通知するための信号であり、信号（Ｖ２１ＨＤＬＣ：「信号名」）は、ＩＴＵ−Ｔ勧告Ｔ．３０に従ったバイナリ信号を運ぶための信号である。また、「Ｖ．２１」、ＩＴＵ−Ｔ勧告Ｖ．２１モデムにより運ばれる信号であることを表し、「ＨＤＬＣ」は、ＨＤＬＣフレーム化されている信号であることを表す。
【００４９】
送信側ゲートウェイファクシミリ装置ＧＷ１が受信側ゲートウェイファクシミリ装置ＧＷ２に対して、接続要求する際に送出する接続要求パケット、および、受信側ゲートウェイファクシミリ装置ＧＷ２が送信側ゲートウェイファクシミリ装置ＧＷ１に対して、接続確認のために送出する接続確認パケットは、図５（Ａ）に示すような信号形式を持つ。この信号形式は、ＩＴＵ−Ｔ勧告Ｈ．２２５．０で規定されているものであり、基本的には、ＩＳＤＮのレイヤ３における呼接続用信号と同一の信号形式である。この接続要求パケット（または、接続確認パケット）は、プロトコル仕様（フォーマット、シーケンス等）を識別するためのプロトコル識別子、そのメッセージがどの呼に関与するものであるかを識別するための呼番号、それぞれのメッセージの内容を識別するためのメッセージタイプ、伝達能力、発信元番号、発信先番号、および、ユーザ・ユーザ情報（ＵＵＩ）からなる。
【００５０】
「伝達能力」情報要素は、伝送する情報の内容が、音声、非制限デジタル情報、制限デジタル情報、３．１ＫＨｚオーディオ、７ＫＨｚオーディオ、あるいは、ビデオのいずれかであるのかを示す情報転送能力、使用する交換機能が回線交換であるのかパケット交換であるのかを示す転送モード、情報転送の速度を表す情報転送速度、情報の転送形態を表す情報、および、ユーザ情報のプロトコルを表す情報などからなる。また、「発信元番号」情報要素は、送信側Ｇ３ファクシミリ装置Ｆ１の電話番号を表し、「発信先番号」情報要素は、受信側Ｇ３ファクシミリ装置Ｆ２の電話番号を表す。また、「ユーザ・ユーザ」情報（ＵＵＩ）要素は、ユーザ間の情報の伝達に用いるためのものであり、この「ユーザ・ユーザ」情報要素の内容は、中間で解釈されることなくトランスペアレントに転送されて相手ユーザに伝達される。本実施形態の場合には、「ユーザ・ユーザ」情報要素として、勧告Ｔ．３０の短縮手順および勧告Ｔ．３８短縮手順を備えている旨を表す情報がセットされる。
【００５１】
図４では、図３（Ｂ）および（Ｃ）に示した態様の手順について説明はしていない。図３（Ｂ）の場合は、図４における受信側Ｇ３ファクシミリ装置Ｆ２と受信側ゲートウェイファクシミリ装置ＧＷ２とのやり取りを省略すれば理解できるし、図３（Ｃ）の場合は、図４における送信側Ｇ３ファクシミリ装置Ｆ１と、送信側ゲートウェイファクシミリ装置ＧＷ１とのやり取りを省略すれば理解できる。
【００５２】
図５（Ｂ）は、送信側ゲートウェイファクシミリ装置ＧＷ１と受信側ゲートウェイファクシミリ装置ＧＷ２との、勧告Ｔ．３８短縮手順のやり取りの一例を示す図である。送信側ゲートウェイファクシミリ装置ＧＷ１は、受信側ゲートウェイファクシミリ装置ＧＷ２に対し接続要求パケットを送信して、接続要求する通知する。これにより、受信側ゲートウェイファクシミリ装置ＧＷ２は、接続確認パケットを送信側ゲートウェイファクシミリ装置ＧＷ１へ送信して、呼接続を確認する。
【００５３】
次いで、送信側ゲートウェイファクシミリ装置ＧＷ１は、非標準機能設定ＮＳＳを示す信号（Ｖ２１ＨＤＬＣ：ＮＳＳ）を受信側ゲートウェイファクシミリ装置ＧＷ２に送信する。これにより、受信側ゲートウェイファクシミリ装置ＧＷ２は、Ｖ２１ＨＤＬＣ：ＮＳＳを受信すると、応答信号として、Ｇ３ファクシミリ伝送手順信号であり、受信準備が完了した旨を通知するための信号ＣＦＲに対応した信号（Ｖ２１ＨＤＬＣ：ＣＦＲ）を送信側ゲートウェイファクシミリ装置ＧＷ１に送信する。
そして、送信側ゲートウェイファクシミリ装置ＧＷ１は、画情報を送出し、画情報の送出を終了すると、画情報送信が終了した旨を通知する信号ＥＯＰに対応した信号（Ｖ２１ＨＤＬＣ：ＥＯＰ）を送出する。
【００５４】
一方、受信側ゲートウェイファクシミリ装置ＧＷ２は、信号（Ｖ２１ＨＤＬＣ：ＥＯＰ）を受信すると、そのときの画情報の受信結果が良好な場合には、その旨を通知する信号ＭＣＦに対応した信号（Ｖ２１ＨＤＬＣ：ＭＣＦ）を送出する。
そして、この信号（Ｖ２１ＨＤＬＣ：ＭＣＦ）を受信すると、送信側ゲートウェイファクシミリ装置ＧＷ１は、画情報送信が完了した旨を確認し、信号ＤＣＮに対応した信号（Ｖ２１ＨＤＬＣ：ＤＣＮ）を送信側ゲートウェイファクシミリ装置ＧＷ１へ送出し、続いて、通信パスを切断する旨を要求する切断要求パケットを受信側ゲートウェイファクシミリ装置ＧＷ２へ送出する。受信側ゲートウェイファクシミリ装置ＧＷ２は、信号（Ｖ２１ＨＤＬＣ：ＤＣＮ）を受信した時点で、通信動作を終了し、切断要求パケットを受信すると、通信パスの切断を確認した旨をあらわす切断確認パケットを送信側ゲートウェイファクシミリ装置ＧＷ１へ送出して、一連の通信動作を終了する。
また、送信側ゲートウェイファクシミリ装置ＧＷ１は、受信側ゲートウェイファクシミリ装置ＧＷ２より切断確認パケットを受信すると、一連の通信動作を終了する。
【００５５】
以下に、本発明における短縮手順が実行される場合の、送信側Ｇ３ファクシミリ装置Ｆ１、送信側ゲートウェイファクシミリ装置ＧＷ１、受信側ゲートウェイファクシミリ装置ＧＷ２、受信側Ｇ３ファクシミリ装置Ｆ２の相互手順を説明する。図６は送信側ゲートウェイファクシミリ装置ＧＷ１が、発呼するときの動作（すなわち、図３（Ａ）または（Ｂ）における伝送形態における送信側ゲートウェイファクシミリ装置ＧＷ１の動作）の一例を示すフローチャートである。発呼の処理が開始されると（Ｓ１０１）、まず宛先が回線網１００に接続されたＧ３ファクシミリ装置（勧告Ｔ．３０の手順に対応しているファクシミリ装置）であるか否かを判断する（Ｓ１０２）。なお、勧告Ｔ．３０の手順に対応しているファクシミリ装置であれば、宛先が私設網に接続されたＧ３ファクシミリ装置であってもよい。ステップＳ１０２の判断において、宛先がＧ３ファクシミリ装置でないときは、システムメモリ１２を参照して、登録済みの宛先であるか否か、すなわち当該宛先が伝送機能として短縮手順を含んでいるか否かをチェックする（Ｓ１０３）。
【００５６】
登録済みの宛先であるときは、勧告Ｔ．３８の要求を含むＵＵＩ（ユーザ・ユーザ情報）をセットして接続要求パケットを受信側ゲートウェイファクシミリ装置ＧＷ２に送信する。これ以降、勧告Ｔ．３８短縮手順を実行する（Ｓ１０４）。この短縮手順では、たとえば、送信側ゲートウェイファクシミリ装置ＧＷ１が受信側ゲートウェイファクシミリ装置ＧＷ２に非標準機能設定ＮＳＳを送出することで、モデムトレーニング手順を行わないことを通知することができる。また、ステップＳ１０３で、登録済みの宛先でないと判断したときは、短縮手順を含まない勧告Ｔ．３８手順に従った通常通信を行う（Ｓ１０５）。そして、呼の終了時に宛先と伝送機能をシステムメモリ１２（フラッシュメモリ）に記憶する（Ｓ１０６）。システムメモリ１２に記憶された宛先と伝送機能は、次回の送信に際しての参照対象とされる。
【００５７】
ステップＳ１０２において、宛先がＧ３ファクシミリ装置であると判断したきは、宛先電話番号に発呼し（Ｓ１０７）、システムメモリ１２を参照して宛先電話番号が登録済みの宛先か否かを判断する（Ｓ１０８）。宛先電話番号が登録済みの宛先でないときは、勧告Ｔ．３０手順に従った通常通信を行う（Ｓ１１０）。そして、呼の終了時に宛先と伝送機能を記憶する（Ｓ１１１）。
【００５８】
ステップＳ１０８の判断において、宛先電話番号が登録済みの宛先であるときは、短縮手順を要求するトーン信号を送出する（Ｓ１０９）。そして、ＮＳＳ（非標準装置設定）を送信する（Ｓ１１０）。非標準機能設定ＮＳＳを送信することで、たとえば、モデムトレーニング手順を行わないことを通知することができる。
つぎに、ＣＦＲ（受信準備確認）を検出したか否かをチェックし（Ｓ１１３）、ＣＦＲを検出したときは、画情報を送出し、以降、勧告Ｔ．３０手順に従った短縮手順を実行する（Ｓ１１４）。ステップＳ１１３で、ＣＦＲを受信していないときは、ＮＳＳ／ＣＳＩ／ＤＩＳの検出待ちに遷移し、以降、勧告Ｔ．３０に従った手順実行する（Ｓ１１５）。そして、呼の終了時に宛先と伝送機能をシステムメモリ１２に記憶する（Ｓ１１６）。
【００５９】
図７は送信側ゲートウェイファクシミリ装置ＧＷ１が、送信側Ｇ３ファクシミリ装置Ｆ１からファクシミリ着呼するときの動作（すなわち、図３（Ａ）または（Ｂ）における伝送形態における送信側ゲートウェイファクシミリ装置ＧＷ１の動作）の一例を示すフローチャートである。着呼の処理が開始されると（Ｓ２０１）、送信側ゲートウェイファクシミリ装置ＧＷ１は、まず短縮手順を示す（短縮手順を要求する）トーン信号を検出したか否かを判断する（Ｓ２０２）。短縮手順を示すトーンを検出しない場合はタイムアウトか否かを判断し（Ｓ２０３）、タイムアウトである場合にはＣＥＤを送信して通常の通信を行い、以降、短縮手順を含まない勧告Ｔ．３０手順を実行する（図４参照）（ステップＳ２０４）。図７には示していないが、ステップＳ２０４において、宛先があるときは勧告Ｔ．３８短縮手順を含まない画情報の送信、または短縮手順を含む手順を受信側ゲートウェイファクシミリ装置ＧＷ２との間で実行することができる（図４，図５（Ｂ）参照）。
【００６０】
ステップＳ２０３でタイムアウトでないと判断した場合は、ステップＳ２０２に処理を戻す。ステップＳ２０２で、短縮手順を示すトーンを検出したときは、宛先があるか否か、をチェックする（Ｓ２０５）。ここでの宛先は、受信側ゲートウェイファクシミリ装置ＧＷ２または受信側ゲートウェイファクシミリ装置ＧＷ２を介して接続された受信側Ｇ３ファクシミリ装置Ｆ２である。宛先があるときは、勧告Ｔ．３８短縮手順を要求した接続要求パケットを、受信側ゲートウェイファクシミリ装置ＧＷ２に送信し、以降勧告Ｔ．３８短縮手順に従った短縮手順を実行する（図４，図５（Ｂ）参照）（Ｓ２０６）。
【００６１】
ステップＳ２０５で、宛先がないとき（すなわち、自己装置が宛先である場合）は、ＮＳＳ（非標準装置設定要求）の検出をチェックする（Ｓ２０７）。ＮＳＳが検出されない場合は、タイムアウトか否かを判断し（Ｓ２０８）、タイムアウトではない場合にはＳ２０７に処理が遷移し、タイムアウトの場合にはＮＳＦ／ＣＳＩ／ＤＩＳの送出を行い、短縮手順を含まない勧告Ｔ．３０手順による通常通信を行う（図４参照）（Ｓ２０９）。
ステップＳ２０７でＮＳＳが検出された場合は、短縮手順が実行される。すなわち、ＣＦＲ（受信準備確認）を送信して画情報受信待ちに処理が移り、以降勧告Ｔ．３０短縮手順を実行する（図４参照）（Ｓ２１０）。
【００６２】
図８は、受信側ゲートウェイファクシミリ装置ＧＷ２が、送信側ゲートウェイファクシミリ装置ＧＷ１から、接続要求パケットを受信したときのの動作（すなわち、図３（Ａ）から（Ｃ）における伝送形態における受信側ゲートウェイファクシミリ装置ＧＷ２の動作）の一例を示すフローチャートである。接続要求パケットを受信すると（Ｓ３０１）、次に接続確認パケットを送信側ゲートウェイファクシミリ装置ＧＷ１に送出する（Ｓ３０２）。そして、ＵＵＩを受信したか否かを判断し（Ｓ３０３）、受信していない場合はタイムアウトか否かを判断する（Ｓ３０４）。タイムアウトでない場合は、処理はＳ３０３に戻り、タイムアウトの場合には次のステップＳ３０５に処理が遷移し、宛先があるか否かが判断される（Ｓ３０５）。宛先がない場合には、短縮手順が使用可能か否かが判断される（Ｓ３０６）。短縮手順が使用可能である場合には、Ｖ２１：ＨＤＬＣ：ＮＳＳ待ちに遷移し、以降勧告Ｔ．３８短縮手順に従った手順を実行する（図５（Ｂ）参照）（Ｓ３０７）。ステップＳ３０６で、短縮手順が使用不可能と判断した場合には、Ｖ２１ＨＤＬＣ：ＣＥＤを送信し、以降短縮手順を含まない勧告Ｔ．３８手順に従った順を実行する（図４R>４参照）（Ｓ３０８）。
【００６３】
ステップＳ３０５で、宛先がある場合には、宛先番号（受信側Ｇ３ファクシミリ装置Ｆ２）に発呼する（Ｓ３０９）。次に、短縮手順がＵＵＩによって指定されていたかをチェックする（Ｓ３１０）。短縮手順がＵＵＩによって指定されていないときはＣＮＧを送出し、以降短縮手順を含まない勧告Ｔ．３０手順に従った通常手順を実行する（図４参照）（Ｓ３１１）。
【００６４】
ステップＳ３１０において、短縮手順がＵＵＩによって指定されているときは、短縮手順を要求するトーンを送出する（Ｓ３１２）。そして、ＮＳＳを送信し（Ｓ３１３）、ＣＦＲを検出したかをチェックする（Ｓ３１４）。ＣＦＲを検出しない場合には、ＮＳＳ／ＣＳＩ／ＤＩＳ検出待ちに入り、以降勧告Ｔ．３０短縮手順を実行し（図４参照）または短縮手順を含まない勧告Ｔ．３０に従った通常の手順を実行する（Ｓ３１５）。ＣＦＲを検出した場合には、画情報を送出し、勧告Ｔ．３０短縮手順を実行する（Ｓ３１６）。
【００６５】
以上の説明からもわかるように、図４は短縮手順を含まない手順を示すものであるが、上記手順において短縮を行う場合には、フラグ信号を送出する手順、ＮＳＦ／ＣＳＩ／ＤＩＳのやり取り、ＴＳＩ／ＤＣＳ／ＴＣＦのやり取りを行う手順を省略する（ただし、短縮手順のためにはＮＳＳを実行する）ことができる。
【００６６】
【発明の効果】
本発明によれば、Ｇ３ファクシミリ装置が送信元である場合にも、送信側ゲートウェイファクシミリ装置はＧ３ファクシミリ装置からトーン信号により短縮手続に関する情報を取得できるし、Ｇ３ファクシミリ装置が宛て先である場合にも、受信側ゲートウェイファクシミリ装置はＧ３ファクシミリ装置にトーン信号により短縮手続に関する情報を送出できる。これにより、リアルタイム通信における短縮手順に関する情報は、発信元装置（Ｇ３ファクシミリ装置またはゲートウェイファクシミリ装置）と宛先との間にインターネットが介在していると否とによらず、当該発信元から宛先に送信されるので、勧告Ｔ．３０短縮手順や勧告Ｔ．３８短縮手順を効率良く実行でき、したがった通信時間が大幅に短縮される。
【図面の簡単な説明】
【図１】本発明のリアルタイムゲートウェイファクシミリ装置が組み込まれたシステムを示す図である。
【図２】本発明の実施形態で使用される送信側ゲートウェイファクシミリ装置の構成例を示す図である。
【図３】本発明における送信側Ｇ３ファクシミリ装置Ｆ１、送信側ゲートウェイファクシミリ装置ＧＷ１，受信側ゲートウェイファクシミリ装置ＧＷ２，受信側ファクシミリ装置Ｆ２との通信形態を示す図である（（Ａ）〜（Ｃ））。
【図４】短縮手順が実行されないリアルタイム転送手順の一例を示す図である。
【図５】（Ａ）は接続確認のために送出する接続確認パケットの信号形式（構造）を示す図、（Ｂ）は送信側ゲートウェイファクシミリ装置ＧＷ１と受信側ゲートウェイファクシミリ装置ＧＷ２との間の短縮処理を示す図である。
【図６】図３（Ｃ）の伝送形態における送信側ゲートウェイファクシミリ装置ＧＷ１の動作の一例を示すフローチャートである。
【図７】図３（Ａ）または（Ｂ）の伝送形態における送信側ゲートウェイファクシミリ装置ＧＷ１の動作の一例を示すフローチャートである。
【図８】図３（Ａ）〜（Ｃ）の伝送形態における受信側ゲートウェイファクシミリ装置ＧＷ２の動作の一例を示すフローチャートである。
【符号の説明】
１１  システム制御部
１２  システムメモリ
１３  パラメータメモリ
１４  時計回路
１５  スキャナ
１６  プロッタ
１７  操作表示部
１８  符号化復号化部
１９  画像蓄積装置
２０  網制御装置
２１  Ｇ３ファクシミリモデム
２２  インターネット通信制御部
２３  ＴＣＰ／ＩＰパケット解析部
２４  Ｇ３プロトコル情報生成部
２５  Ｇ３プロトコル情報取出部
２６  ＴＣＰ／ＩＰパケット変換部
２７  内部バス
１００  回線網
２００  インターネット
Ｆ１  送信側Ｇ３ファクシミリ装置
Ｆ２  受信側Ｇ３ファクシミリ装置
ＧＷ１  送信側ゲートウェイファクシミリ装置
ＧＷ２  受信側ゲートウェイファクシミリ装置
【図１】
0003828403.tif 000002
【図２】
0003828403.tif 000003
【図３】
0003828403.tif 000004
【図４】
0003828403.tif 000005
【図５】
0003828403.tif 000006
【図６】
0003828403.tif 000007
【図７】
0003828403.tif 000008
【図８】
0003828403.tif 000009